【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
添加剤成分
ａ）  ３０００〜５００００の重量平均分子量および５０〜９０質量％のエチレン割合を有するエチレン−ビニルエステルコポリマー、
および
ｂ）  ヒドロキシル基の５０〜８０モル％が、不飽和Ｃ12〜Ｃ40モノカルボン酸でエステル化され、ヒドロキシル基の２０〜５０モル％が、部分的にイミド化された無水マレイン酸コポリマーおよび／または部分的にエステル化された無水マレイン酸コポリマーにより、エステル化されたものである、グリセリンの混合エステル、
および／または
ｃ）  １５００〜１５０００の数平均分子量およびα−メチルスチレンダイマーに基づく少なくとも１個の末端基を有する、無水マレイン酸とα−メチルスチレンとの部分的および／または完全にイミド化されたコポリマー
および／または
ｄ）  ワックス組成物であって、
ｄ１）  モノステアリン酸グリセリルとダイマー酸とに基づくワックス様オリゴマーエステルであり、変換生成物は、少なくとも９０質量％が、
【化１】
2007509212.tif 000001
（式中、ｎ＝１〜２０、合計ａ＋ｂ＋ｃ＋ｄ＝３０、Ｚ＝１２〜２０であり、Ｙ＝Ｈまたは
【化２】
2007509212.tif 000002
Ｘ＝Ｈまたは
【化３】
2007509212.tif 000003
である）
構造に対応する、ワックス様オリゴマーエステル、
および／または
ｄ２）  少なくとも２種類の異なる直鎖および／または分枝Ｃ14〜Ｃ36アルコールとダイマー酸との、ワセリン様粘稠性を有するワックスエステルであり、変換生成物は、少なくとも８０質量％が、
【化４】
2007509212.tif 000004
（式中、ｉ＝１３〜３５；ｓ＝１３〜３５、ｋ＋ｍ＋ｎ＋ｐの合計が３０〜３４であり、（ＣＨ2）iまたは（ＣＨ2）sが、直鎖または直鎖および分枝である）
構造に対応する、ワックスエステル、
の型の天然の出発物質に基づくワックス組成物、
を含有してなり、
鉱物油中の添加剤混合物の含有量が０．００５〜１質量％であり、添加物成分の質量比ａ／ｂまたはａ／ｃまたはａ／ｄが、それぞれ１０／９０〜９０／１０である、
主成分としての鉱物油と微量部分の添加剤混合物との組成物。
【請求項２】
添加剤混合物のエチレン−ビニルエステルコポリマーが、１２〜５０質量％の酢酸ビニル含有量を有するエチレン−酢酸ビニルコポリマーである、請求項１に記載の組成物。
【請求項３】
添加剤混合物のエチレン−ビニルエステルコポリマーが、１０〜９０質量％の非変性エチレン−ビニルエステルコポリマーと、９０〜１０質量％の、極性基で変性されたエチレン−ビニルエステルコポリマーとの混合物である、請求項１または２に記載の組成物。
【請求項４】
添加剤混合物の変性されたエチレン−ビニルエステルコポリマーが、酸化されたエチレン−ビニルエステルコポリマー、部分的にケン化されたエチレン−ビニルエステルコポリマー、部分的にケン化されたエチレン−ビニルエステルコポリマーのヘミアセタール、および／またはビニルエステル、（メタ）アクリルエステルおよび／またはビニルエーテル型の極性不飽和モノマーでグラフトされたエチレン−ビニルエステルコポリマーである、請求項３に記載の組成物。
【請求項５】
添加剤混合物のグリセリンの混合エステル中のエステル化成分として含まれるＣ12〜Ｃ40モノカルボン酸が、Ｃ12〜Ｃ40モノカルボン酸の全重量に対して４５〜５２質量％のＣ22モノカルボン酸からなり、エステル化成分として含まれる部分的にイミド化された無水マレイン酸コポリマーが、Ｃ6〜Ｃ24モノアルキルアミンで部分的にイミド化された無水マレイン酸−α−メチルスチレンコポリマーであり、コポリマー内の無水物基／コポリマー内の結合したＣ6〜Ｃ24モノアルキルアミンのモル比は８／１〜１．３／１である無水マレイン酸−α−メチルスチレンコポリマーである、請求項１〜４のいずれか１つに記載の組成物。
【請求項６】
添加剤成分ｃ）としての、無水マレイン酸とα−メチルスチレンとの部分的にイミド化されたコポリマーが、Ｃ6〜Ｃ24モノアルキルアミンで部分的にイミド化された無水マレイン酸−α−メチルスチレンコポリマーであり、コポリマー内の無水物基／コポリマー内の結合したＣ6〜Ｃ24モノアルキルアミンのモル比が、８／１〜１．３／１である無水マレイン酸−α−メチルスチレンコポリマーである、請求項１〜４のいずれか１つに記載の組成物。
【請求項７】
添加剤成分ｄ２）としてのワセリン様粘稠性を有するワックスエステルが、ゲルベ（Ｇｕｅｒｂｅｔ）アルコールである２−ヘキシルデカン−１−オール、２−オクチルデカン−１−オールまたは２−オクチルデカン−１−オール型と、高オレイン酸含有量を有する植物油を切断（Ｓｐａｌｔｕｎｇ）し、ついで、触媒的ダイマー化することにより得られるダイマー酸とに基づくワックスエステルである、請求項１〜４のいずれか１つに記載の組成物。
【請求項８】
鉱物油が、それぞれ硫黄分が０．０５質量％未満の暖房用油、軽油またはディーゼル油である、請求項１〜７のいずれか１つに記載の鉱物油組成物。
【請求項９】
鉱物油組成物が、添加剤成分ａ＋ｂ、ａ＋ｃ、ａ＋ｄ、ａ＋ｂ＋ｃ、ａ＋ｂ＋ｃ＋ｄまたはａ＋ｃ＋ｄに対して合計０〜２００質量％の、脂肪酸混合物、極性窒素化合物、エチレン性不飽和Ｃ4〜Ｃ20ジカルボン酸無水物の変性コポリマー、非変性エチレン−ビニルエステルコポリマー、Ｃ7〜Ｃ30アルコール、ポリアルキレングリコール、ポリオキシアルキレン化合物のエステルまたはエーテル、Ｃ2〜Ｃ6オキシアルキル架橋Ｃ12〜Ｃ40モノカルボン酸、炭化水素ポリマー、アルキルフェノール−アルデヒドコポリマー、Ｃ8〜Ｃ100アルキル置換基を有する芳香族化合物、カルボキシル化ポリアミン、界面活性剤、腐食防止剤、乳化破壊剤、金属不活性化剤、セタン価向上剤、消泡剤および共溶媒からなる群より選ばれた１あるいは２以上の他の添加剤成分を含む、請求項１〜８のいずれか１つに記載の鉱物油の組成物。
【請求項１０】
極性窒素化合物が、ポリアミン、エーテルアミン、アミノアルコール、多価カルボン酸のアミン塩、アミドまたはイミドである、請求項９に記載の鉱物油の組成物。
【請求項１１】
Ｃ2〜Ｃ6オキシアルキル架橋Ｃ12〜Ｃ40モノカルボン酸が、不飽和Ｃ16〜Ｃ24モノカルボン酸の全質量に対するＣ22モノカルボン酸含有量が４５〜５２質量％であるＣ3〜Ｃ4オキシアルキル架橋不飽和Ｃ16〜Ｃ24モノカルボン酸である、請求項９に記載の鉱物油の組成物。
【請求項１２】
添加剤成分
ａ）  ３０００〜５００００の重量平均分子量および５０〜９０質量％のエチレン割合を有するエチレン−ビニルエステルコポリマー、
および
ｂ）  ヒドロキシル基の５０〜８０モル％が、不飽和Ｃ12〜Ｃ40モノカルボン酸でエステル化され、ヒドロキシル基の２０〜５０モル％が、部分的にイミド化された無水マレイン酸コポリマーおよび／または部分的にエステル化された無水マレイン酸コポリマーによりエステル化されたものである、グリセリンの混合エステル、
および／または
ｃ）  １５００〜１５０００の数平均分子量およびα−メチルスチレンダイマー系の少なくとも１個の末端基を有する、無水マレイン酸とα−メチルスチレンとの部分的および／または完全にイミド化されたコポリマー、
および／または
ｄ）  ワックス組成物であって、
ｄ１）  モノステアリン酸グリセリルとダイマー酸とに基づくワックス様オリゴマーエステルであり、変換生成物は、少なくとも９０質量％が
【化５】
2007509212.tif 000005
（式中、ｎ＝１〜２０、合計ａ＋ｂ＋ｃ＋ｄ＝３０、Ｚ＝１２〜２０であり、Ｙ＝Ｈまたは
【化６】
2007509212.tif 000006
Ｘ＝Ｈまたは
【化７】
2007509212.tif 000007
である）
構造に対応する、ワックス様オリゴマーエステル、
および／または
ｄ２）  少なくとも２個の異なる直鎖および／または分枝Ｃ14〜Ｃ36アルコールとダイマー酸とに基づくワセリン様粘稠性を有するワックスエステルであり、変換生成物は、少なくとも８０質量％が、
【化８】
2007509212.tif 000008
〔式中、ｉ＝１３〜３５；ｓ＝１３〜３５、ｋ＋ｍ＋ｎ＋ｐの合計が３０〜３４であり、（ＣＨ2）iまたは（ＣＨ2）sが、直鎖または直鎖および分枝である〕
構造に対応する、ワックスエステル、
の型の天然の出発物質に基づくワックス組成物、
を含有し、鉱物油中の添加剤混合物の含有量が、０．００５〜１質量％であり、添加物成分の質量比ａ／ｂまたはａ／ｃまたはａ／ｄが、それぞれ１０／９０〜９０／１０である、添加剤混合物を、
−第１プロセス工程において、中間留分鉱物油中に１〜６０質量％の添加剤成分を含む溶液を２０〜９０℃で製造する、および
−第２プロセス工程において、第１プロセス工程で得られた溶液を主成分としての鉱物油と均質化する、
予備均質プロセスによって製造し、
さらに、第１プロセス工程および／または第２プロセス工程において、添加剤成分ａ＋ｂ、ａ＋ｃ、ａ＋ｄ、ａ＋ｂ＋ｃ、ａ＋ｂ＋ｃ＋ｄまたはａ＋ｃ＋ｄに対して合計０〜２００質量％の他の添加剤成分を鉱物油に添加する、
主成分としての鉱物油と微量部分の添加剤混合物との組成物の製造方法。
【請求項１３】
低温で輸送され、保存されるべき流動媒体としての、請求項１〜１２のいずれか１つに記載の組成物の使用。